(57)【要約】【課題】現用系と予備系における冗長な設備を極力少なくする。【解決手段】インタフェースカード１０は物理層を終端する。スレーブカード４０は、インタフェースカード１０を介して上位装置とデータを送受信する。伝送路終端カード２０、３０は、データリンク層を終端する。同期部２３は、伝送路終端カード３０との間で、通信のための設定情報を同期する。通知部２４は、自カードが予備系であることを示す通知信号を、インタフェースカード１０及び伝送路終端カード３０に送信する。通知部３４は、自カードが現用系であることを示す通知信号を、インタフェースカード１０及び伝送路終端カード２０に送信する。送信制御部１２は、自カードが現用系であることを示す通知信号を送信した伝送路終端カード３０にデータを送信する。【選択図】図４
2013074341.tif 000002
【特許請求の範囲】
【請求項１】
ネットワークの物理層を終端するインタフェースカードと、前記ネットワークのデータリンク層を終端する複数の伝送路終端カードとを備え、前記複数の伝送路終端カードのうち、いずれかを現用系として使用し、残りの伝送路終端カードを予備系とする通信装置であって、
前記伝送路終端カードは、
他の伝送路終端カードとの間で、通信のための設定情報を同期する同期部と、
自カードが現用系であることを示す通知信号又は自カードが予備系であることを示す通知信号を、前記インタフェースカード及び残りの伝送路終端カードに送信する通知部と、
を備え、
前記インタフェースカードは、
自カードが現用系であることを示す通知信号を送信した伝送路終端カードに前記データを送信する送信制御部と、
を備える通信装置。
【請求項２】
前記インタフェースカードを介して上位装置とデータを送受信するスレーブカードをさらに備え、
前記通知部は、
自カードが現用系であることを示す通知信号又は自カードが予備系であることを示す通知信号を、前記インタフェースカード、前記スレーブカード及び残りの伝送路終端カードに送信し、
前記スレーブカードは、
自カードが現用系であることを示す通知信号を送信した伝送路終端カードに前記データを送信するデータ処理部を備える、
ことを特徴とする請求項１に記載の通信装置。
【請求項３】
前記通知部は、
自カードが現用系の場合、自カードの異常を検出すると、自カードが予備系であることを示す通知信号を送信し、
自カードが予備系の場合、前記現用系の伝送路終端カードから送信された予備系であることを示す通知信号を受信すると、自カードが現用系であることを示す通知信号を送信する、
ことを特徴とする請求項１又は２に記載の通信装置。
【請求項４】
ネットワークの物理層を終端するインタフェースカードと、前記ネットワークのデータリンク層を終端する複数の伝送路終端カードとを備え、前記複数の伝送路終端カードのうち、いずれかを現用系として使用し、残りの伝送路終端カードを予備系とする通信装置におけるデータ伝送方法であって、
前記現用系の伝送路終端カードが前記予備系の伝送路終端カードとの間で、通信のための設定情報を同期する同期工程と、
自カードが現用系であることを示す通知信号又は自カードが予備系であることを示す通知信号を、前記インタフェースカード及び残りの伝送路終端カードに送信する通知工程と、
自カードが現用系であることを示す通知信号を送信した伝送路終端カードに前記データを送信する送信制御工程と、
を含むデータ伝送方法。
【発明の詳細な説明】
【技術分野】
【０００１】
本発明は、通信装置及びデータ伝送方法に関する。
【背景技術】
【０００２】
ネットワークを介して上位装置と通信する通信装置では、故障が発生した場合に上位装置との通信を保障するために、現用系と予備系を備える冗長なシステム構成が採用されているものがある。
【０００３】
例えば、特許文献１には、現用系と予備系の一対のＯＮＵ（Optical Network Unit）を備えるＯＮＵ設置局が開示されている。このＯＮＵ設置局では、予備系のＯＮＵの設定情報と現用系のＯＮＵの設定情報とが同期されている。このため、現用系のＯＮＵの異常が検出されると、光スイッチを切り替えることで現用系と予備系とが速やかに切り替えられ、上位装置であるＯＬＴ（Optical Line Terminal）設置局との通信を維持することができる。
【先行技術文献】
【特許文献】
【０００４】
【特許文献１】特開２００９−０８１６６２号公報
【発明の概要】
【発明が解決しようとする課題】
【０００５】
しかし、上記特許文献１に記載のＯＮＵ設置局では、光スイッチによって現用系と予備系とを切り替えるため、現用系及び予備系のそれぞれが、入力光信号と出力光信号とを入出力させる波長合分波フィルタや光電変換素子等の物理層に含まれる設備を備えていなければならない。
【０００６】
このため、これら冗長な設備に余計なコストがかかる。加えて、これら設備のメンテナンスにも手間がかかる。
【０００７】
本発明は、上記実情に鑑みてなされたものであり、現用系と予備系における冗長な設備を極力少なくすることができる通信装置及びデータ伝送方法を提供することを目的とする。
【課題を解決するための手段】
【０００８】
上記目的を達成するため、本発明の第１の観点に係る通信装置は、
ネットワークの物理層を終端するインタフェースカードと、前記ネットワークのデータリンク層を終端する複数の伝送路終端カードとを備え、前記複数の伝送路終端カードのうち、いずれかを現用系として使用し、残りの伝送路終端カードを予備系とする通信装置であって、
前記伝送路終端カードは、
他の伝送路終端カードとの間で、通信のための設定情報を同期する同期部と、
自カードが現用系であることを示す通知信号又は自カードが予備系であることを示す通知信号を、前記インタフェースカード及び残りの伝送路終端カードに送信する通知部と、
を備え、
前記インタフェースカードは、
自カードが現用系であることを示す通知信号を送信した伝送路終端カードに前記データを送信する送信制御部と、
を備える。
【０００９】
また、本発明の第２の観点に係るデータ伝送方法は、
ネットワークの物理層を終端するインタフェースカードと、前記ネットワークのデータリンク層を終端する複数の伝送路終端カードとを備え、前記複数の伝送路終端カードのうち、いずれかを現用系として使用し、残りの伝送路終端カードを予備系とする通信装置におけるデータ伝送方法であって、
前記現用系の伝送路終端カードが前記予備系の伝送路終端カードとの間で、通信のための設定情報を同期する同期工程と、
自カードが現用系であることを示す通知信号又は自カードが予備系であることを示す通知信号を、前記インタフェースカード及び残りの伝送路終端カードに送信する通知工程と、
自カードが現用系であることを示す通知信号を送信した伝送路終端カードに前記データを送信する送信制御工程と、
を含む。
【発明の効果】
【００１０】
本発明によれば、現用系と予備系において物理層を共有するため、現用系と予備系における冗長な設備を極力少なくすることができる。
【図面の簡単な説明】
【００１１】
【図１】本発明の一実施形態に係るネットワーク構成を示す図である。
【図２】ＭＡＣフレームの構成を示す概念図である。
【図３】図１に示す通信装置のシステム構成の概略を示す図である。
【図４】図１に示す通信装置のシステム構成を示す図である。
【図５】本発明の一実施形態に係るフレーム伝送処理のフローチャートである。
【発明を実施するための形態】
【００１２】
本発明の一実施形態について、図面を参照して詳細に説明する。本実施形態に係る通信装置１００は、図１に示すように、ネットワーク回線網２を介して、上位装置１と接続している。上位装置１、ネットワーク回線網２及び通信装置１００は、ＬＡＮ（Local Area Network）規格の１つであるイーサネット（登録商標）により接続されている。
【００１３】
イーサネット（登録商標）は、ＯＳＩ（Open Systems Interconnection）基本参照モデルの最下位の層である物理層とその上位層であるデータリンク層とを規定する。物理層は、各種の伝送媒体を通じてビット単位での伝送を行う層である。物理層では、論理的条件、電気的条件、機械的条件が規定される。
【００１４】
データリンク層は、物理層が提供するビット列の伝送機能を使用して、隣接するノード間でデータ伝送を行う層である。データリンク層は、データリンクの確立、データのフレーム化、順序制御、送達確認とフロー制御、伝送誤り制御などの機能を有する。
【００１５】
上位装置１と通信装置１００とのデータ通信では、データは、所定の大きさ以下に分割されて、データリンク層でＭＡＣ（Media Access Control）フレームに組み込まれて送受信される。例えば、図２に示すように、ＭＡＣフレームのフォーマットは、「プリアンブル」、「ＳＦＤ（Start Frame Delimiter）」、「宛先アドレス」、「送信元アドレス」、「長さ／タイプ」、「データ」、「ＦＣＳ（Frame Check Sequence）」で構成される。
【００１６】
「プリアンプル」は、通信インタフェースに受信準備を促す信号である。「ＳＦＤ」は、同期を取るための符号である。「宛先アドレス」は、ＭＡＣフレーム受信側の通信インタフェースのＭＡＣアドレスである。ＭＡＣアドレスは、ネットワークのハードウェア毎に割り当てられる固有の物理アドレスである。「送信元アドレス」は、ＭＡＣフレーム送信側の通信インタフェースのＭＡＣアドレスである。「長さ／タイプ」は、上位プロトコルの識別情報である。例えば、上位プロトコルがＴＣＰ／ＩＰならば、ＩＰｖ４（０ｘ０８００）に対応する識別情報が格納される。「データ」は、送受信されるデータである。「ＦＣＳ」は、ＭＡＣフレームのエラーを検出するための情報である。
【００１７】
次に、図３を参照して、通信装置１００のハードウェア構成について説明する。通信装置１００は、インタフェースカード１０と、伝送路終端カード２０と、伝送路終端カード３０と、スレーブカード４０とを備える。伝送路終端カード２０、３０は、それぞれインタフェースカード１０及びスレーブカード４０に接続する。伝送路終端カード２０と伝送路終端カード３０との間は、専用線５０を介して接続される。
【００１８】
インタフェースカード１０は、ネットワーク回線網２に接続する。また、インタフェースカード１０は、ネットワークの物理層を終端する。より詳細には、インタフェースカード１０は、例えば、上位装置１から受信した光信号を電気信号に変換し、さらにＰＨＹ（physical layer）機能で、電気信号をＭＡＣフレームに変換して伝送路終端カード２０、３０にＭＡＣフレームを送信する。また、インタフェースカード１０は、伝送路終端カード２０、３０から送信されたＭＡＣフレームを電気信号に変換し、電気信号を光信号に変換して上位装置１に送信する。
【００１９】
伝送路終端カード２０は、ネットワークのデータリンク層を終端し、インタフェースカード１０とスレーブカード４０との間でＭＡＣフレームを中継する。より詳細には、伝送路終端カード２０は、データの受信においては、インタフェースカード１０から送信されたＭＡＣフレームを解析してＭＡＣフレームに含まれるデータをスレーブカード４０に送信する。また、伝送路終端カード２０は、データの送信においては、スレーブカード４０から渡されたデータをフレーム化し、インタフェースカード１０に送信する。また、伝送路終端カード２０は、専用線５０を介して、伝送路終端カード３０との間で通信が可能である。
【００２０】
このように、伝送路終端カード２０は、上位装置１とのデータ通信において重要な機能であるデータリンク層の終端とＭＡＣフレームの中継とを担う。このため、通信装置１００には、故障時の対策として、伝送路終端カード２０と同一のハードウェア構成である伝送路終端カード３０が予備として備えられている。
【００２１】
以下、運用中の伝送路終端カードを現用系の伝送路終端カードとし、現用系の伝送路終端カードの故障時に現用系に代わって運用される伝送路終端カードを予備系の伝送路終端カードとする。以下では、特に言及しない限り、伝送路終端カード２０を現用系、伝送路終端カード３０を予備系とする。
【００２２】
スレーブカード４０は、インタフェースカード１０及び伝送路終端カード２０、３０を介して上位装置１とデータを送受信する。スレーブカード４０は、データを送受信する手順を制御し、受信したすべてのデータに抜けがないか、また正しくデータを受信できたか等を判断する。
【００２３】
次に、図４を参照して、伝送路終端カード２０、伝送路終端カード３０、インタフェースカード１０及びスレーブカード４０それぞれのシステム構成を説明する。
【００２４】
まず、伝送路終端カード２０のシステム構成について詳細に説明する。伝送路終端カード２０は、伝送路終端部２１と、ホストプロセッサ２２とを備える。
【００２５】
伝送路終端部２１は、インタフェースカード１０から受信したＭＡＣフレームに含まれるデータをスレーブカード４０に送信する。
【００２６】
ホストプロセッサ２２は、同期部２３と、通知部２４とを備える。ホストプロセッサ２２は、例えば、ＣＰＵ（Central Processing Unit、不図示）であって、ＣＰＵがメモリ（不図示）に記憶されたソフトウェアプログラムを実行制御することにより、同期部２３、通知部２４の機能を実現する。
【００２７】
同期部２３は、自カードが現用系の場合、予備系の伝送路終端カード３０との間で、通信のための設定情報を同期する。設定情報は、データ通信を行うユーザがアサインされる毎に、ホストプロセッサ２２により伝送路終端部２１に設定される。例えば、設定情報は、上位装置１とデータ通信を行うために登録されたユーザであるか否かの認証に用いられる認証情報、データ暗号化に必要な暗号キー等の暗号化情報、仮想プライベートネットワーク接続のための情報等である。
【００２８】
より詳細には、同期部２３は、伝送路終端部２１に設定された設定情報を取得し、専用線５０を介して、伝送路終端カード３０の同期部３３に設定情報を送信する。同期部３３は、受信した設定情報を伝送路終端部３１に設定することによって、設定情報を更新する。
【００２９】
通知部２４は、自カードが現用系であることを示す通知信号又は自カードが予備系であることを示す通知信号を、インタフェースカード１０、スレーブカード４０及び伝送路終端カード３０に送信する。通知信号は、例えば、現予備信号である。現予備信号には、「Ｈｉｇｈ信号」（以下、単に「Ｈ信号」とする）と「Ｌｏｗ信号」（以下、単に「Ｌ信号」とする）の２種類がある。Ｈ信号は、自カードが現用系であることを示し、Ｌ信号は、自カードが予備系であることを示す。インタフェースカード１０、伝送路終端カード３０及びスレーブカード４０は、伝送路終端カード２０からＨ信号を受信することによって、伝送路終端カード２０が現用系であると識別できる。また、インタフェースカード１０、伝送路終端カード３０及びスレーブカード４０は、伝送路終端カード２０からＬ信号を受信することによって、伝送路終端カード２０が予備系であると識別できる。
【００３０】
通信装置１００は、伝送路終端カード２０または伝送路終端カード３０の故障等の異常時における対策として、伝送路終端カード２０及び伝送路終端カード３０を現用系及び予備系として使い分けることで、システムの冗長構成を実現している。伝送路終端カード２０、３０は、自カードの状態に応じて、現用系と予備系とを切り替えられる。例えば、通知部２４は、自カードが現用系の場合、自カードの異常を検出すると、Ｌ信号をインタフェースカード１０、伝送路終端カード３０及びスレーブカード４０に送信する。自カードの異常とは、物理的な損傷に起因する故障、ソフトウェアプログラムのバグ等に起因する故障等である。一方、伝送路終端カード３０の通知部３４は、自カードが予備系の場合、現用系の伝送路終端カード２０から送信されたＬ信号を受信すると、Ｈ信号をインタフェースカード１０、伝送路終端カード２０及びスレーブカード４０に送信する。
【００３１】
伝送路終端カード３０は、伝送路終端部３１と、ホストプロセッサ３２とを備える。ホストプロセッサ３２は、同期部３３と、通知部３４とを備える。伝送路終端カード３０は、伝送路終端カード２０とシステム構成が同じであるため、伝送路終端カード３０の説明は省略する。
【００３２】
次に、インタフェースカード１０のシステム構成について詳細に説明する。インタフェースカード１０は、ネットワーク終端処理部１１と、送信制御部１２とを備える。
【００３３】
ネットワーク終端処理部１１は、ネットワークの物理層を終端する。また、ネットワーク終端処理部１１は、上位装置１から受信したＭＡＣフレームを送信制御部１２に出力する。また、ネットワーク終端処理部１１は、上位装置１にＭＡＣフレームを送信する。
【００３４】
送信制御部１２は、自カードが現用系であることを示す通知信号を送信した伝送路終端カード２０又は伝送路終端カード３０にＭＡＣフレームを送信する。より詳細には、送信制御部１２は、例えば、現用系だった伝送路終端カード２０の通知部２４からＬ信号を受信し、伝送路終端カード３０の通知部３４からＨ信号を受信すると、ＭＡＣフレームを伝送路終端カード３０に送信する。
【００３５】
例えば、通信装置１００がＭＡＣフレームα、βを上位装置１から受信した場合を考える。まず、送信制御部１２は、ＭＡＣフレームαを伝送路終端カード２０に送信する。ここで、ＭＡＣフレームαの送信後に伝送路終端カード２０が故障した場合、送信制御部１２へ通知部２４からＬ信号が送信され、通知部３４からＨ信号が送信される。送信制御部１２は、ＭＡＣフレームの送信先を、Ｈ信号の送信元である伝送路終端カード３０に切り替えているので、ＭＡＣフレームβを伝送路終端カード３０に送信する。
【００３６】
送信制御部１２は、現用系の伝送路終端カード２０から受信したＭＡＣフレームをネットワーク終端処理部１１に出力する。
【００３７】
次に、スレーブカード４０のシステム構成について詳細に説明する。スレーブカード４０は、データ処理部４１を備える。データ処理部４１は、伝送路終端部２１からデータを受信する。また、データ処理部４１は、上位装置１に送信するデータを伝送路終端部２１に送信する。ここで、データ処理部４１は、自カードが現用系であることを示す通知信号を送信した伝送路終端カード２０又は伝送路終端カード３０にデータを送信する。例えば、伝送路終端カード２０の通知部２４からＬ信号を受信し、伝送路終端カード３０の通知部３４からＨ信号を受信すると、データ処理部４１は、データを伝送路終端カード３０に送信する。
【００３８】
次に、図５を参照して、本実施形態に係るフレーム伝送処理のフローを詳細に説明する。前提として、伝送路終端カード２０が現用系、伝送路終端カード３０が予備系とする。
【００３９】
伝送路終端カード２０の同期部２３は、設定情報を伝送路終端カード３０に送信する（ステップＳ１）。設定情報を受信した伝送路終端カード３０の同期部３３は、設定情報を更新する（ステップＳ２）。この間にも伝送路終端カード２０を用いた通信が行われている。
【００４０】
ここで、伝送路終端カード２０が故障し、通知部２４が異常を検出する（ステップＳ３）。異常を検出した通知部２４は、Ｌ信号をインタフェースカード１０、伝送路終端カード３０及びスレーブカード４０に送信する（ステップＳ４）。次に、Ｌ信号を受信した伝送路終端カード３０の通知部３４は、Ｈ信号をインタフェースカード１０、伝送路終端カード２０及びスレーブカード４０に送信する（ステップＳ５）。続いて、Ｌ信号とＨ信号とを受信した送信制御部１２は、ＭＡＣフレームの送信先を伝送路終端カード３０に切り替える（ステップＳ６）。また、データ処理部４１は、データの送信先を伝送路終端カード３０に切り替える（ステップＳ７）。以後、伝送路終端カード２０は予備系となり、現用系に切り替えられた伝送路終端カード３０を用いて通信が行われる。
【００４１】
以上詳細に説明したように、本実施形態によれば、ネットワークの物理層より上位のデータリンク層で現用系と予備系とを切り替えるため、現用系と予備系において物理層を共有することができる。このため、現用系と予備系における冗長なインタフェースカードや回線等の設備を極力少なくすることができる。
【００４２】
なお、送信制御部１２は、ＭＡＣフレームの送信中に、現用系の伝送路終端カード２０からＬ信号が送信された場合、現用系に変更された伝送路終端カード３０にＭＡＣフレームを再送するようにしてもよい。こうすることで現用系と予備系との切り替えによるＭＡＣフレームの損失リスクを軽減できる。
【００４３】
また、同期部２３は、自カードが現用系の場合、予備系の伝送路終端カード３０との間で設定情報を同期する。これにより、現用系と予備系とが切り替えられたときに、設定情報を新たに設定しなくてよいため、データ通信に対する切り替えの影響を極力小さくできる。
【００４４】
なお、ネットワーク回線網２には、例えば、交換局が介在しており、通信装置１００は、交換局を介して上位装置１とデータ通信を行ってもよい。
【００４５】
なお、上位装置１と通信装置１００とのネットワークは、イーサネット（登録商標）に限らず、ＡＴＭ（Asynchronous Transfer Mode）等であってもよい。
【００４６】
なお、通知部２４は、Ｈ信号またはＬ信号を、インタフェースカード１０、スレーブカード４０及び伝送路終端カード３０から要求があった際に、送信するようにしてもよい。こうすることで、インタフェースカード１０は、どちらの伝送路終端カードが現用系かを確認できるので、より確実にスレーブカード４０にデータを送信することができる。
【００４７】
なお、上記実施形態では、通知部２４は、自カードが現用系の場合、自カードの異常を検出したのを契機にＬ信号を送信するようにしたが、本発明はこれに限られない。例えば、通知部２４は、自カードが現用系の場合、ユーザによって設定された時刻にＬ信号を送信するようにしてもよい。こうすることで、現用系として運用していた伝送路終端カード２０が予備系になり、予備系の伝送路終端カード３０が現用系となるので、通信装置１００の通信を、伝送路終端カード３０を用いて維持しながら、伝送路終端カード２０を点検できる。
【００４８】
なお、上記実施形態では、伝送路終端カードは２つであったが、３つ以上を備え、１つを現用系とし、残りを予備系としてもよい。この場合、例えば、現用系の伝送路終端カードが、専用線５０を介して、次に現用系になる伝送路終端カードを設定するようにしてもよい。より具体的には、現用系の伝送路終端カードが、設定情報を同期する際に、所定の予備系の伝送路終端カードに対してのみ、設定情報に次の現用系となる旨を示す情報を付加するようにしてもよい。この情報に基づいて、その伝送路終端カードは、現用系の伝送路終端カードからＬ信号を受信した場合に、自身が現用系となって、通信を行う。また、所定の予備系の伝送路終端カードに、現用系の伝送終端カードからＬ信号を受信した場合に現用系になるように、あらかじめ設定しておいてもよい。こうして、現用系の伝送路終端カードに異常が発生した場合でも、複数の予備系の伝送路終端カードのうち、現用系に切り替えられた伝送路終端カードを用いて通信を行うことができる。
【００４９】
なお、イーサネット（登録商標）は、例えば、ＩＥＥＥ８０２．３ｚに対応する１０００Ｂａｓｅ−ＳＸ、１０００Ｂａｓｅ−ＬＸ、１０００Ｂａｓｅ−ＣＸ、ＩＥＥＥ８０２．３ｙに対応する１００Ｂａｓｅ−Ｔ２、ＩＥＥＥ８０２．３ｕに対応する１００Ｂａｓｅ−Ｔ４、１００Ｂａｓｅ−ＴＸ、１００Ｂａｓｅ−ＦＸ、８０２．３に対応する１０Ｂａｓｅ−Ｆ等であってもよい。
【００５０】
なお、上記実施形態において、実行されるソフトウェアプログラムは、フレキシブルディスク、ＣＤ−ＲＯＭ（Compact Disc Read-Only Memory）、ＤＶＤ（Digital Versatile Disc）、ＭＯ（Magneto-Optical disc）等のコンピュータ読み取り可能な記録媒体に格納して配布し、そのプログラムをインストールすることにより、上述の処理を実行するシステムを構成することとしてもよい。
【００５１】
また、ソフトウェアプログラムをインターネット等の通信ネットワーク上の所定のサーバ装置が有するディスク装置等に格納しておき、例えば、搬送波に重畳させて、ダウンロード等するようにしてもよい。
【００５２】
また、上述の機能を、ＯＳ（Operation System）が分担して実現する場合又はＯＳとアプリケーションソフトウェアプログラムとの協働により実現する場合等には、ＯＳ以外の部分のみを媒体に格納して配布してもよく、また、ダウンロード等してもよい。
【００５３】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、実施形態ではなく、特許請求の範囲によって示される。そして、特許請求の範囲内及びそれと同等の発明の意義の範囲内で施される様々な変形が、本発明の範囲内とみなされる。
【００５４】
上記の実施形態の一部又は全部は、以下の付記のようにも記載されうるが、以下には限られない。
【００５５】
（付記１）
ネットワークの物理層を終端するインタフェースカードと、前記ネットワークのデータリンク層を終端する複数の伝送路終端カードとを備え、前記複数の伝送路終端カードのうち、いずれかを現用系として使用し、残りの伝送路終端カードを予備系とする通信装置であって、
前記伝送路終端カードは、
他の伝送路終端カードとの間で、通信のための設定情報を同期する同期部と、
自カードが現用系であることを示す通知信号又は自カードが予備系であることを示す通知信号を、前記インタフェースカード及び残りの伝送路終端カードに送信する通知部と、
を備え、
前記インタフェースカードは、
自カードが現用系であることを示す通知信号を送信した伝送路終端カードに前記データを送信する送信制御部と、
を備える通信装置。
【００５６】
（付記２）
前記インタフェースカードを介して上位装置とデータを送受信するスレーブカードをさらに備え、
前記通知部は、
自カードが現用系であることを示す通知信号又は自カードが予備系であることを示す通知信号を、前記インタフェースカード、前記スレーブカード及び残りの伝送路終端カードに送信し、
前記スレーブカードは、
自カードが現用系であることを示す通知信号を送信した伝送路終端カードに前記データを送信するデータ処理部を備える、
ことを特徴とする付記１に記載の通信装置。
【００５７】
（付記３）
前記通知部は、
自カードが現用系の場合、自カードの異常を検出すると、自カードが予備系であることを示す通知信号を送信し、
自カードが予備系の場合、前記現用系の伝送路終端カードから送信された予備系であることを示す通知信号を受信すると、自カードが現用系であることを示す通知信号を送信する、
ことを特徴とする付記１又は２に記載の通信装置。
【００５８】
（付記４）
ネットワークの物理層を終端するインタフェースカードと、前記ネットワークのデータリンク層を終端する複数の伝送路終端カードとを備え、前記複数の伝送路終端カードのうち、いずれかを現用系として使用し、残りの伝送路終端カードを予備系とする通信装置におけるデータ伝送方法であって、
前記現用系の伝送路終端カードが前記予備系の伝送路終端カードとの間で、通信のための設定情報を同期する同期工程と、
自カードが現用系であることを示す通知信号又は自カードが予備系であることを示す通知信号を、前記インタフェースカード及び残りの伝送路終端カードに送信する通知工程と、
自カードが現用系であることを示す通知信号を送信した伝送路終端カードに前記データを送信する送信制御工程と、
を含むデータ伝送方法。
【符号の説明】
【００５９】
１  上位装置
２  ネットワーク回線網
１０  インタフェースカード
１１  ネットワーク終端処理部
１２  送信制御部
２０、３０  伝送路終端カード
２１、３１  伝送路終端部
２２、３２  ホストプロセッサ
２３、３３  同期部
２４、３４  通知部
４０  スレーブカード
４１  データ処理部
５０  専用線
１００  通信装置
【図１】
2013074341.tif 000003
【図２】
2013074341.tif 000004
【図３】
2013074341.tif 000005
【図４】
2013074341.tif 000006
【図５】
2013074341.tif 000007